(57)【特許請求の範囲】
【請求項１】
天井材に埋設される器具本体と、
前記器具本体の外側に延出する複数の取付ばねと、を備え、
前記複数の取付ばねのうちの少なくとも１個の弾性反発力は、他の取付ばねの弾性反発力よりも小さく、
弾性反発力の大きい取付ばねは、前記器具本体の重量の大きい側に配置され、
弾性反発力の小さい取付ばねは、前記器具本体の重量の小さい側に配置される照明器具。
【請求項２】
請求項１に記載の照明器具において、
前記複数の取付ばねにおける弾性反発力の差が、板厚の厚みにより設定される照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、一対の主取付ばねと一対の副取付ばねとが器具本体の周方向に等間隔に取り付けられた照明器具が知られている（例えば、特許文献１参照）。
【先行技術文献】
【特許文献】
【０００３】
【特許文献１】特開２０１０−７３４９０号公報（図１、段落００１８）
【発明の概要】
【発明が解決しようとする課題】
【０００４】
前述した特許文献１に記載された照明器具は、器具本体が天井材に有する埋設孔に挿入される際に、主取付ばねおよび副取付ばねが、手の指等により弾性反発力に抗して器具本体に沿うように弾性変形されながら器具本体とともに埋設孔に挿入される。
そして、弾性変形されている主取付ばねおよび副取付ばねから手を放すことにより、主取付ばねおよび副取付ばねが埋設孔に向けて弾性復元しながら拡開されていき、それに伴って器具本体が埋設孔内を上昇され、その後に、器具本体が所定の取付位置で固定される。
【０００５】
ところで、前述した特許文献１に記載された照明器具と同様に器具本体の外側に３個の取付ばねを取り付けた照明器具が提案されている。
このような従来の照明器具は、取付ばねのそれぞれに有する弾性反発力が同一に設定されている。器具本体は、同一の弾性反発力を有する３個の取付ばねにより天井材への保持力の基準を満足している。ここで、天井材への保持力の基準とは、器具本体を天井材に挿入した後に、器具本体を天井材に安定的に保持できることである。
【０００６】
しかし、このような従来の照明器具は、天井材への取付時と、天井材からの取外時とに課題を有する。
従来の照明器具の天井材への取付時の課題は、器具本体を天井材の埋設孔に挿入するに際し、手の指等により３個の取付ばねのそれぞれを器具本体に沿うように弾性変形させるとき、３個の取付ばねがそれぞれ同一の弾性反発力を有するために、３個の取付ばねをそれぞれ同時に弾性変形させ難いことである。
【０００７】
従来の照明器具の天井材からの取外時の課題は、天井材への取付時とは反対に、天井材の埋設孔の上部において弾性復元されている取付ばねを器具本体に沿うように弾性変形させて取付ばねとともに器具本体を埋設孔から引き抜くに際し、それぞれ同一の弾性反発力を有する３個の取付ばねに蓄積されている大きな弾性復元力により器具本体が天井材に保持されているために、３個の取付ばねをそれぞれ同時に弾性変形させ難いので、器具本体が埋設孔から容易に引き抜けないことである。
【０００８】
本発明は、前述した課題を解決するためになされたものであり、その目的は、天井材への取付時および天井材からの取外時にスムースに施工できる照明器具を提供することにある。
【課題を解決するための手段】
【０００９】
本発明に係る照明器具は、天井材に埋設される器具本体と、前記器具本体の外側に延出する複数の取付ばねと、を備え、前記複数の取付ばねのうちの少なくとも１個の弾性反発力は、他の取付ばねの弾性反発力よりも小さく、弾性反発力の大きい取付ばねは、前記器具本体の重量の大きい側に配置され、弾性反発力の小さい取付ばねは、前記器具本体の重量の小さい側に配置される。
【００１０】
本発明に係る照明器具は、前記複数の取付ばねにおける弾性反発力の差が、板厚の厚みにより設定される。
【発明の効果】
【００１２】
本発明に係る照明器具によれば、天井材への取付時および天井材からの取外時にスムースに施工できるという効果を奏する。
【図面の簡単な説明】
【００１３】
【図１】本発明に係る第１実施形態の照明器具の斜め上方から視た外観斜視図
【図２】図１の照明器具の取付ばね周りの模式的平面図
【図３】図１の照明器具の天井材への取付時の外観斜視図
【図４】図１の照明器具の天井材からの取外時の外観斜視図
【図５】本発明に係る第２実施形態の照明器具における取付ばね周りの模式的平面図
【図６】本発明に係る第３実施形態の照明器具における取付ばね周りの模式的平面図
【発明を実施するための形態】
【００１４】
(第１実施形態)
以下、本発明に係る第１実施形態の照明器具について図面を参照して説明する。
本発明に係る第１実施形態の照明器具１０は、光源である不図示のＬＥＤユニットを収容した器具本体１１と、器具本体１１の前方に取り付けられた枠部材１２と、器具本体１１の外側に取り付けられた第１取付ばね１３，第２取付ばね１４，第３取付ばね１５とを備えて天井材１に有する埋設孔２に埋設されて設置されるダウンライトである。
【００１５】
図１に示すように、器具本体１１は、例えば絶縁性を有する硬質な樹脂材料やダイカスト等の金属材料を用いて周板１６を有する円筒形状に形成されている。器具本体１１は、周板１６の内側に電源ユニット１７が組み込まれており、電源ユニット１７はヒートシンク１８を有する。電源ユニット１７は、そのヒートシンク１８が器具本体１１の軸線に対して図１中の後方にオフセットされて配置されている。そのため、器具本体１１は、図１中の後方側の重量が大きくなっており、図１中の手前側は重量が大きくなっていない。
【００１６】
電源ユニット１７には、器具本体１１の上部の外側に不図示の電源端子台が取り付けられ、電源端子台が外部配線(図３参照)１９を通じて外部回路に接続される。電源端子台から電源ユニット１７へは不図示の器具配線が電気的に接続され、電源ユニット１７からＬＥＤユニットへは不図示の器具配線が電気的に接続される。枠部材１２は化粧用であり、器具本体１１の下方の開口部を覆って取り付けられる。
【００１７】
第１取付ばね１３は、先端部に、取外時に天井材１に掛止されるフック２０を有し、器具本体１１の図１中の後方側である重量の大きい側の左方側に取り付けられている。第１取付ばね１３は、器具本体１１の周板１６から予め定められた長さ寸法を有して斜め上方に向けて延出されている。第１取付ばね１３は、第２取付ばね１４と同一の、例えば板厚寸法０．５ｍｍを有している。
そのため、第１取付ばね１３および第２取付ばね１４は、第３取付ばね１５よりも大きい弾性反発力、すなわち、第３取付ばね１５よりも大きいばね定数を有する。
【００１８】
第２取付ばね１４は、先端部に、取外時に天井材１に掛止されるフック２１を有し、器具本体１１の図１中の後方側である重量の大きい側の右方側に取り付けられている。第２取付ばね１４は、器具本体１１の周板１６から予め定められた長さ寸法を有して斜め上方に向けて延出されている。
【００１９】
第３取付ばね１５は、先端部に、取外時に天井材１に掛止されるフック２２を有し、器具本体１１の図１中の手前側である重量の小さい側に取り付けられている。第３取付ばね１５は、第１取付ばね１３および第２取付ばね１４よりも小さい、例えば板厚寸法０．４ｍｍを有しており、器具本体１１の周板１６から予め定められた長さ寸法を有して斜め上方に向けて延出されている。
【００２０】
図２に示すように、第１取付ばね１３と、第２取付ばね１４と、第３取付ばね１５とは、器具本体１１の周板１６の外周円周上において１２０度の等間隔で器具本体１１から放射状に延出されている。
【００２１】
次に、照明器具１０の天井材１への取付手順について説明する。
図３に示すように、天井材１には、器具本体１１の外径寸法よりも十分に大きい内径寸法の埋設孔２が形成されている。そして、埋設孔２内には、外部からの外部配線１９が引き込まれる。
取り付けにあたり、まず、手の指等により、第１取付ばね１３と第２取付ばね１４とが弾性反発力に抗して器具本体１１に沿うように弾性変形されて、第１取付ばね１３および第２取付ばね１４と器具本体１１とが埋設孔２の下方から挿入されていく。器具本体１１が埋設孔２にわずかに挿入されたとき、弾性変形されている第１取付ばね１３および第２取付ばね１４から手を放すことにより第１取付ばね１３および第２取付ばね１４が埋設孔２の内壁に向けて弾性復元する。これにより、大きな弾性反発力を有する第１取付ばね１３および第２取付ばね１４により器具本体１１が天井材１に対して安定的に仮保持される。
【００２２】
次に、手の指等により、残りの第３取付ばね１５を弾性反発力に抗して器具本体１１に沿うように弾性変形させて、第１取付ばね１３と第２取付ばね１４と第３取付ばね１５とが器具本体１１とともに埋設孔２に挿入されていく。そして、器具本体１１が埋設孔２に十分挿入されたときに、弾性変形されている第３取付ばね１５から手を放すことにより、第１取付ばね１３と第２取付ばね１４と第３取付ばね１５とが埋設孔２の内壁に向けて弾性復元し始める。
【００２３】
第１取付ばね１３と第２取付ばね１４と第３取付ばね１５とは、それぞれにより形成される外径寸法を大きくするように弾性復元されていき、それに伴う反力により、器具本体１１が埋設孔２内を上昇されていく。器具本体１１が埋設孔２内を上昇されていき、枠部材１２が天井材１の下面に当接することにより、第１取付ばね１３と第２取付ばね１４と第３取付ばね１５とにより器具本体１１が天井材１に対して所定の位置に安定的に保持される。そして、器具本体１１が天井材に固定される。
【００２４】
次に、照明器具１０の天井材１からの取外手順について説明する。
図４に示すように、それぞれ拡開されることにより器具本体１１を天井材１に対する所定の位置に安定的に保持している第１取付ばね１３と第２取付ばね１４と第３取付ばね１５とに対し、まず、枠部材１２において、いちばん弾性反発力の小さい第３取付ばね１５の位置に相当する部分２３を天井材１に対して強制的に引き下げる。
このとき、第３取付ばね１５は、第１取付ばね１３および第２取付ばね１４に比べて弾性復元力が小さいために、第３取付ばね１５のみが埋設孔２に上方から容易に入り込んで器具本体１１に沿うように弾性変形される。そして、枠部材１２の第３取付ばね１５の位置に相当する部分２３が引き下げられることにより器具本体１１が埋設孔２内で傾斜しながら下降される。
【００２５】
そして、器具本体１１が引き続き引き下げられることにより、第１取付ばね１３と第２取付ばね１４と第３取付ばね１５とが器具本体１１に沿うように、第１取付ばね１３と第２取付ばね１４と第３取付ばね１５とにより形成される外径寸法を小さくすように弾性変形されながら器具本体１１が埋設孔２内を下降されていく。
器具本体１１が埋設孔２内を下降されていくと、第１取付ばね１３のフック２０と、第２取付ばね１４のフック２１と、第３取付ばね１５のフック２２とが埋設孔２の上端面に引掛るために、器具本体１１が埋設孔２の下方側にぶら下げられて保持される。そして、この状態において、外部配線１９が電源端子台から取り外され、いちばん弾性反発力の小さい第３取付ばね１５を器具本体１１側に弾性変形させて、そのフック２２を埋設孔２から外す。
【００２６】
このとき、第３取付ばね１５が、第１取付ばね１３および第２取付ばね１４よりも弾性反発力が小さいために、そのフック２２を埋設孔２から容易に取り外すことができる。また、器具本体１１の大きな重量がかかっている部分において、弾性反発力の大きい第１取付ばね１３のフック２０および弾性反発力の大きい第２取付ばね１４のフック２１が埋設孔２に引っ掛かっているために、第３取付ばね１５が埋設孔２から取り外されても、器具本体１１は天井材１に対して安定的に保持されたままの状態を維持できる。
【００２７】
その後に、弾性反発力の大きな第１取付ばね１３と第２取付ばね１４とを器具本体１１側にそれぞれ弾性変形させて第１取付ばね１３のフック２０と第２取付ばね１４のフック２１とを埋設孔２から外すことにより、器具本体１１を埋設孔２から取り外すことができる。
【００２８】
以上、説明した本発明に係る第１実施形態の照明器具１０は、天井材１への取り付けに際し、第１取付ばね１３と第２取付ばね１４とを弾性反発力に抗して器具本体１１に沿うように弾性変形させて器具本体１１を埋設孔２の下方から挿入していき、その後に、第３取付ばね１５を弾性反発力に抗して器具本体１１に沿うように弾性変形させる。
【００２９】
そして、第１取付ばね１３と第２取付ばね１４と第３取付ばね１５とが器具本体１１とともに埋設孔２に挿入されることにより、大きな弾性反発力を有する第１取付ばね１３および第２取付ばね１４により器具本体１１が天井材１に対して安定的に保持されている状態で、第３取付ばね１５を弾性変形させればよいので大きな力を伴わずに簡単に取り付けできる。
【００３０】
また、天井材１からの取り外しに際し、枠部材１２の第３取付ばね１５の位置に相当する部分２３を天井材１に対して強制的に引き下げることにより、器具本体１１の大きな重量がかかっている部分において、弾性反発力の大きい第１取付ばね１３のフック２０および弾性反発力の大きい第２取付ばね１４のフック２１が埋設孔２に引っ掛かって器具本体１１が天井材１に対して安定的に保持されたままの状態を維持される。
【００３１】
そして、その状態で、弾性反発力の小さい第３取付ばね１５を埋設孔２から取り外すことにより、器具本体１１を埋設孔２から抜き出すことができるので大きな力を伴わずに簡単に取り外しできる。
従って、本発明に係る第１実施形態の照明器具１０は、天井材１への取付時および天井材１からの取外時にスムースに施工できる。
【００３２】
また、本発明に係る第１実施形態の照明器具１０は、第１取付ばね１３および第２取付ばね１４が板厚寸法０．５ｍｍを有し、第３取付ばね１５が第１取付ばね１３および第２取付ばね１４よりも小さい板厚寸法０．４ｍｍを有することにより、第１取付ばね１３および第２取付ばね１４が第３取付ばね１５よりも大きい弾性反発力に設定される。
従って、本発明に係る第１実施形態の照明器具１０は、弾性反発力の差を簡単に変更して設定できる。
【００３３】
そして、本発明に係る第１実施形態の照明器具１０は、器具本体１１の重量の大きい側に弾性反発力の大きい第１取付ばね１３および第２取付ばね１４が配置され、器具本体１１の重量の小さい側に弾性反発力の小さい第３取付ばね１５が配置されることにより、第１取付ばね１３と第２取付ばね１４と第３取付ばね１５とが重量バランスを考慮して配置される。
【００３４】
従って、本発明に係る第１実施形態の照明器具１０は、天井材１への取り付けに際し、第３取付ばね１５を第１取付ばね１３および第２取付ばね１４の埋設孔２への挿入の後に簡単に埋設孔２へ挿入できるとともに、天井材１からの取り外しに際し、第３取付ばね１５を第１取付ばね１３および第２取付ばね１４よりも先に埋設孔２から簡単に取り外すことができる。
【００３５】
（第２実施形態）
次に、本発明に係る第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３６】
図５に示すように、本発明に係る第２実施形態の照明器具３０は、大きい弾性反発力を有する第１取付ばね３１と、第１取付ばね３１よりも弾性反発力が小さい第２取付ばね３２と、第１取付ばね３１よりも弾性反発力が小さい第３取付ばね３３とを備え、器具本体１１において大きい重量を有する位置に第１取付ばね３１が配置され、第１取付ばね３１と第２取付ばね３２と第３取付ばね３３とが器具本体１１の周板１６の外周円周上において１２０度の等間隔で器具本体１１から放射状に延出される。
第２実施形態の照明器具３０は、第１実施形態と同様の作用効果を有するために、その説明は省略される。
【００３７】
（第３実施形態）
次に、本発明に係る第３実施形態の照明器具について説明する。
図６に示すように、本発明に係る第３実施形態の照明器具４０は、四角形の筒形状に形成されて一対の側板４１を有する器具本体４２において、一方の側板４１の一端側に大きい弾性反発力を有する第１取付ばね４３が配置されるとともに一方の側板４１の他端側に小さい弾性反発力を有する第２取付ばね４４が配置され、他方の側板４１の一端側に小さい弾性反発力を有する第３取付ばね４５が配置されるとともに他方の側板４１の他端側に大きい弾性反発力を有する第４取付ばね４６が配置される。
第３実施形態の照明器具４０は、第１実施形態と同様の作用効果を有するために、その説明は省略される。
【００３８】
なお、本発明の照明器具１０，３０，４０は、前述した実施形態に限定されるものでなく、適宜な変形や改良等が可能である。
【符号の説明】
【００３９】
１  天井材
１０，３０，４０  照明器具
１１，４２  器具本体
１３  第１取付ばね（取付ばね）
１４  第２取付ばね（取付ばね）
１５  第３取付ばね（取付ばね）
３１  第１取付ばね（取付ばね）
３２  第２取付ばね（取付ばね）
３３  第３取付ばね（取付ばね）
４３  第１取付ばね（取付ばね）
４４  第２取付ばね（取付ばね）
４５  第３取付ばね（取付ばね）
４６  第４取付ばね（取付ばね）
【図１】
0005562156.tif 000002
【図２】
0005562156.tif 000003
【図３】
0005562156.tif 000004
【図４】
0005562156.tif 000005
【図５】
0005562156.tif 000006
【図６】
0005562156.tif 000007